(57)【要約】メタデータ生成装置（４３０）を具えている再生システム（４００）では、メタデータ情報（ＭＤ）が遠隔制御装置（４２０）に伝送され、該遠隔制御装置（４２０）は、前記メタデータ情報（ＭＤ）からの選択情報（ＡＩ）を用いて再生装置（１０）を遠隔制御するために用立てられる。再生装置（１０）及びメタデータ生成装置（４３０）はデータキャリアを受け入れる受入れ装置（４３２，４０）を有しており、これらの受入れ装置には少なくとも１つのトラックを含むデータキャリアを装填することができ、各トラックは開始位置情報によって確定される。メタデータ生成装置（４３０）は開始位置情報を追加的に包含するメタデータ情報（ＭＤ）を生成するために用立てられる。遠隔制御装置（４２０）内には、開始位置情報を包含する選択情報（ＡＩ）を生成するための選択情報生成手段（４２５）が含まれる。再生装置（１０）は、開始位置情報を包含する選択情報（ＡＩ）を処理するための処理手段（５１，６０）を含み、各トラックの選択を選択情報（Ａｉ）によって可能にする。【特許請求の範囲】
【請求項１】
メタデータ情報生成用のメタデータ生成装置と、再生装置と、該再生装置を再生用に遠隔制御する遠隔制御装置とを具えている再生システムであって、前記メタデータ生成装置は、以下に規定する手段、即ち、データキャリアを受け入れる受入れ手段と、当該データキャリアに関連するメタデータ情報を生成するためのメタデータ生成手段と、該メタデータ情報を前記遠隔制御装置に伝送するためのメタデータ伝送手段とを具え、前記遠隔制御装置は、以下に規定する手段、即ち、前記メタデータ情報を受信するための受信手段と、前記メタデータ情報を記憶するための記憶手段と、選択情報を生成するための選択情報生成手段と、該選択情報を前記再生装置に伝送するための伝送手段とを具え、且つ前記再生装置は、以下に規定する手段、即ち、データキャリアを受け入れる受入れ手段と、当該データキャリアに含まれるユーザ情報を再生するための再生手段と、前記遠隔制御装置からの選択情報を受信するための受信手段と、該選択情報を処理するための処理手段とを具え、前記データキャリアに含まれるユーザ情報を前記処理手段によって選択可能とする、再生システムにおいて、
前記受入れ手段に装填することができるデータキャリアは少なくとも１つのトラックを具え、各トラックは開始位置情報によって確定され、前記メタデータ生成手段は前記開始位置情報を追加的に含むメタデータ情報を生成すべく構成配置され、前記選択情報生成手段は前記開始位置情報を含む選択情報を生成すべく構成され、且つ前記処理手段は前記開始位置情報を含む選択情報を処理すべく構成配置され、前記開始位置情報を含む前記選択情報を用いてトラックを選択し得るようにしたことを特徴とする再生システム。
【請求項２】
前記メタデータ生成装置及び再生装置は組み合わせ装置内に収容されることを特徴とする請求項１に記載の再生システム。
【請求項３】
前記メタデータ生成装置及び遠隔制御装置は組み合わせ装置内に収容されることを特徴とする請求項１に記載の再生システム。
【請求項４】
前記選択情報は、前記開始位置情報に加えて識別データブロックを包含し、該識別データブロックは、前記受入れ手段に装填し得るデータキャリア用に形成し得るようにしたことを特徴とする請求項１〜３の何れか一項に記載の再生システム。
【請求項５】
前記メタデータ生成装置及び/又は再生装置にて前記識別データブロックを生成するために、次のような手段、即ち、
前記開始位置情報を確定するための確定手段及び部分識別ブロックをゲートすることによって前記識別データブロックを生成するためのゲート手段と、
開始位置情報から第１の部分識別ブロックを生成するための第１生成手段と、
データキャリアのトラック総数から第２の部分識別ブロックを生成するための第２生成手段と、
を具え、前記第１生成手段はＸＯＲゲーティングを用いて前記第１の部分識別ブロックを生成すべく構成配置され、且つ前記ゲート手段はＥＯＲ機能を用いて前記識別データブロックを生成すべく構成配置されることを特徴とする請求項４に記載の再生システム。
【請求項６】
第３生成手段を追加的に設け、該第３生成手段は前記データキャリアのトラックに含まれているファイルのファイル名から第３の部分識別ブロックを生成すべく構成配置されることを特徴とする請求項５に記載の再生システム。
【請求項７】
前記選択情報は１つの開始位置情報によって形成され、該開始位置情報は時間、分、秒及びフレームの時間情報によって決定されることを特徴とする請求項１〜４のいずれか一項に記載の再生システム。
【請求項８】
前記選択情報は４バイトのトラック識別データブロックとして配列され、それぞれのバイトは時間、分、秒及びフレームの各時間情報を有することを特徴とする請求項７に記載の再生システム。
【請求項９】
メタデータ情報を生成するためのメタデータ生成装置であって、以下に規定する手段、即ち、データキャリアを受け入れる受入れ手段と、当該データキャリアに関連するメタデータ情報を生成するためのメタデータ生成手段と、再生装置を遠隔制御する遠隔制御装置にメタデータ情報を伝送するためのメタデータ伝送手段とを具えている、メタデータ生成装置において、前記受入れ手段に装填し得るデータキャリアは少なくとも１つのトラックを具え、各トラックは開始位置情報によって確定され、且つ前記メタデータ生成手段は、前記開始位置情報を追加的に含むメタデータ情報を生成すべく構成配置されることを特徴とするメタデータ生成装置。
【請求項１０】
前記メタデータ情報は、前記開始位置情報に加えて、識別データブロックを包含し、該識別データブロックは前記受入れ手段に装填し得るデータキャリア用に形成し得るようにしたことを特徴とする請求項９に記載のメタデータ生成装置。
【請求項１１】
前記識別データブロックを生成するために、以下に規定する手段、即ち、
開始位置情報を確定するための確定手段及び部分識別ブロックをゲートすることにより識別データブロックを生成するためのゲート手段と、
前記開始位置情報から第１の部分識別ブロックを生成するための第１生成手段と、
前記データキャリアのトラックの総数から第２の部分識別ブロックを生成するための第２生成手段と、
を具え、前記第１生成手段はＸＯＲゲーティングを用いて前記第１の部分識別ブロックを生成すべく構成配置され、且つ
前記ゲート手段はＸＯＲ機能を用いて前記識別データブロックを生成すすべく構成配置されることを特徴とする請求項１０に記載のメタデータ生成装置。
【請求項１２】
第３生成手段も設け、該第３生成手段は前記データキャリアのトラックに含まれているファイルのファイル名から第３の部分識別ブロックを生成すべく構成配置されることを特徴とする請求項１１に記載のメタデータ生成装置。
【請求項１３】
前記開始位置情報は時間、分、秒及びフレームの時間情報によって確定されることを特徴とする請求項９、１０、又は１２の何れか一項に記載のメタデータ生成装置。
【請求項１４】
再生装置を遠隔制御する遠隔制御装置であって、下記に規定する手段、即ち、
メタデータ情報を受信する受信手段と、前記メタデータ情報を記憶するための記憶手段と、選択情報を生成するための選択情報生成手段と、該選択情報を前記再生装置に伝送する伝送手段とを具えている遠隔制御装置において、
前記メタデータ情報はデータキャリアのトラックの開始位置情報を追加的に含み、前記選択情報生成手段は前記開始位置情報を含む選択情報を生成すべく構成配置されることを特徴とする遠隔制御装置。
【請求項１５】
前記メタデータ情報及び選択情報は、前記開始位置情報に加えて識別データブロックを含み、該識別データブロックはデータキャリア用に形成し得るようにしたことを特徴とする請求項１４に記載の遠隔制御装置。
【請求項１６】
前記選択情報は、時間、分、秒及びフレームの時間情報によって確定される開始位置情報によって形成されることを特徴とする請求項１４又は１５に記載の遠隔制御装置。
【請求項１７】
下記に規定する手段、即ち、
データキャリアを受け入れる受入れ手段と、当該データキャリアに存在するユーザ情報を再生するための再生手段と、該再生装置を遠隔制御する遠隔制御装置からの選択情報を受信するための受信手段と、前記選択情報を処理するための処理手段とを具え、前記データキャリアに存在するユーザ情報を選択可能とする、再生装置において、前記受入れ手段に装填し得るデータキャリアは少なくとも１つのトラックを具え、これらの各トラックは開始位置情報によって確定され、且つ前記処理手段は、前記開始位置情報を包含している選択情報を処理すべく構成配置され、前記開始位置情報を包含している選択情報によってトラックを選択し得るようにしたことを特徴とする再生装置。
【請求項１８】
前記選択情報は前記開始位置情報に加えて識別データブロックを包含し、該識別データブロックは前記受入れ手段に装填し得るデータキャリア用に形成し得るようにしたことを特徴とする請求項１７に記載の再生装置。
【請求項１９】
前記識別データブロック生成用に、下記に規定する手段、即ち、
前記開始位置情報を確定する確定手段及び部分識別ブロックをゲートすることによって前記識別データブロックを生成するためのゲート手段と、
前記開始位置情報から第１の部分識別ブロックを生成するための第１生成手段と、
前記データキャリアのトラック総数から第２の部分識別ブロックを生成するための第２生成手段と、
を具え、前記第１生成手段はＸＯＲゲーティングを用いて前記第１の部分識別ブロックを生成すべく構成配置され、且つ前記ゲート手段はＸＯＲ機能を用いて前記識別データブロックを生成すべく構成配置されることを特徴とする請求項１８に記載の再生装置。
【請求項２０】
第３生成手段を追加的に設け、該第３生成手段は前記データキャリアのトラックに含まれているファイルのファイル名から第３の部分識別ブロックを生成すべく構成配置されることを特徴とする請求項１９に記載の再生装置。
【請求項２１】
前記選択情報は開始位置情報によって形成され、該開始位置情報は時間、分、秒及びフレームの時間情報によって確定されることを特徴とする請求項１７、１８又は２０のいずれか一項に記載の再生装置。
【発明の詳細な説明】
【技術分野】
【０００１】
本発明は、メタデータ情報生成用のメタデータ生成装置と、再生装置と、該再生装置を再生用に遠隔制御する遠隔制御装置とを具えている再生システムであって、前記メタデータ生成装置は、以下に規定する手段、即ち、データキャリアを受け入れる受入れ手段と、当該データキャリアに関連するメタデータ情報を生成するためのメタデータ生成手段と、該メタデータ情報を前記遠隔制御装置に伝送するためのメタデータ伝送手段とを具え、前記遠隔制御装置は、以下に規定する手段、即ち、前記メタデータ情報を記憶するための記憶手段と、選択情報を生成するための選択情報生成手段と、選択情報を前記再生装置に伝送するための伝送手段とを具え、且つ前記再生装置は、以下に規定する手段、即ち、データキャリアを受け入れる受入れ手段と、当該データキャリアに含まれるユーザ情報を再生するための再生手段と、前記遠隔制御装置からの選択情報を受信するための受信手段と、該選択情報を処理するための処理手段とを具え、データキャリアに含まれるユーザ情報を前記処理手段によって選択可能とする、再生システムに関するものである。
【０００２】
本発明はさらに、メタデータ情報を生成するためのメタデータ生成装置であって、以下に規定する手段、即ち、データキャリアを受け入れる受入れ手段と、当該データキャリアに関連するメタデータ情報を生成するためのメタデータ生成手段と、再生装置を遠隔制御する遠隔制御装置に前記メタデータ情報を伝送するためのメタデータ伝送手段とを具えている、メタデータ生成装置に関するものである。
【０００３】
さらに本発明は、再生装置を遠隔制御する遠隔制御装置であって、下記に規定する手段、即ち、メタデータ情報を受信する受信手段と、前記メタデータ情報を記憶するための記憶手段と、選択情報を生成するための選択情報生成手段と、該選択情報を前記再生装置に伝送する伝送手段とを具えている遠隔制御装置に関するものである。
【０００４】
本発明はさらに、下記に規定する手段、即ち、データキャリアを受け入れる受入れ手段と、前記データキャリアに含まれるユーザ情報を再生するための再生手段と、再生装置を遠隔制御する遠隔制御装置から選択情報を受信するための受信手段と、前記選択情報を処理するための処理手段とを具え、前記データキャリアに含まれるユーザ情報を選択可能とする、再生装置にも関するものである。
【背景技術】
【０００５】
このような再生システム、メタデータ生成装置、遠隔制御装置等は、例えば文献“A personal digital assistant as an advanced remote control for audio/video equipment”から既知であり、この文献は２００２年にインターネット＜ＵＲＬ  ：  http://www.xs4all.nl/〜devet/atwork/i99w4.html>で公開された。この従来の再生システムは、少なくとも１つのデータキャリアに関連するメタデータ情報を生成するためのメタデータ生成装置と、データキャリアに含まれるユーザ情報を再生するための再生装置と、この再生装置を遠隔制御する遠隔制御装置とを具えている。遠隔制御装置は、所謂パーソナルデジタルアシスタント（携帯情報端末：ＰＤＡ）として構成配置され、これはデータキャリアのユーザデータを選択可能にするために用いられる。再生装置は、コンピュータプログラムを用いてオーディオデータを再生するように構成配置され、この場合のコンピュータプログラムは“Winamp MP3 player”として既知であり、これはパーソナルコンピュータＰＣで処理することができる。ＰＣは多数のユーザデータをオーディオファイル形式で包含し、これらのオーディオファイルは既知のＭＰＥＧ１レイヤＩＩＩ（ＭＰ３）法に従って圧縮される。オーディオファイルは多くの種々のデータキャリアに対するオーディオファイルのＣＤコレクションとして形成され、データキャリアはコンパクトディスクＣＤとして構成配置される。ＣＤのＣＤコレクションへのオーディオファイルの追加は、そのＣＤをＰＣの受入れ手段に装填することによって行われ、ＰＣの受入れ手段はＣＤ-ＲＯＭドライブによって形成される。オーディオファイルはＰＣの記憶手段に記憶され、この記憶手段はハードディスクによって形成される。この場合に、オーディオファイルをＣＤ-ＤＡフォーマットで利用可能とする場合には、オーディオファイルを記憶する前に、先ずこれらのオーディオファイルを前記ＭＰ３法に従って圧縮する。
【０００６】
斯様なＣＤのオーディオファイルをＣＤコレクションに加える場合には、ＰＣに内蔵されるメタ情報生成システムにてオーディオファイル用の所謂メタデータを生成する。メタデータはインターネットで利用できるデータベースによって生成され、このデータベースにはＰＣでインターネットリンクによってアクセスすることができる。このようなデータベースは、例えばＣＤＤＢ（登録商標）として既知であり、このデータベースはインターネットによるサービス、即ちインターネット-データベースであり、このデータベースには、多数のコンパクトディスク又はオーディオＣＤのタイトル、解説、プレイ時間等のようなメタデータが記憶される。ＣＤＤＢはＰＣで斯様なＣＤを検出し易くするために開発された。その原理は、独特の識別データブロック又はディスクＩＤのそれぞれか、個々のＩＤを目次（ＴＯＣ）によって生成するもので、従ってＣＤの目次は、入力したＣＤのメタデータや、タイトル、解説等を参照する追加情報と一緒にＣＤＤＢデータベースに記憶される。ＣＤを用いるユーザはＣＤＤＢデータベースに記憶されているメタデータ又は追加情報を見たり、利用したりする。
【０００７】
メタデータはここでは、アーティスト/解説者、アルバムの名前、年度及びジャンルによって形成される。それぞれ生成されるか、又は得られるメタデータはハードディスクにリスト又はカタログ形式でそれぞれ記憶され、その後、ＰＤＡに伝送される。この伝送は赤外線リンクＩｒＤＡを介して行われ、この場合、ＰＣ及びＰＤＡは赤外線トランシーバを有する。ＰＤＡに伝送されたリストはＰＤＡ内に記憶され、このリストはＰＤＡのディスプレイに表示させることができる。さらに、リストからは、再生装置にて再生すべきＣＤコレクションのうちの、所望なオーディオファイルに関連する選択情報を表すエントリをリストから取り出すことができる。その選択の後には、選択情報をＩｒＤＡコネクションによってＰＣ又は表示システムに伝送することができる。再生装置では最終的に、受信した選択情報によってオーディオファイルを選択し、そしてそれを再生する。
【０００８】
従来の再生システムでは、選択情報はアルバムの名前と、リストから選択したエントリの解説者の名前とによって形成している。殆どの場合に、これらの名前の文字数はかなり多くなる。多くの文字をＩｒＤＡコネクションによって伝送するにはかなりの時間がかかり、従って長時間の間ＩｒＤＡコネクション用の供給エネルギーを消費することになり、これはＰＤＡのエネルギー消費をできるだけ最小にするという見地からすると非常に不都合である。その理由は、エネルギー消費はバッテリによってカバーされ、消費エネルギーが高いとＰＤＡの動作寿命が短くなるからである。
【０００９】
種々の索引（インデックス）に記憶されている個々のオーディオファイルを一層明確に又はより一層区別するために、再生装置の記憶手段に所謂インデックス又はファイル構造を用立てることがよくある。このようにインデックスに記憶したオーディオファイルの選択には、いわばインデックス情報を追加的に有している選択情報を伝送する必要がある。この場合、ＩｒＤＡコネクションによって追加の文字を伝送できるが、これは不都合である。特に、多くの文字を伝送することは伝送セキュリティの面で不都合であり、伝送すべき文字数が増えるにつれて、セキュリティが相対的にかなり降下し、従って高価なセキュリティ対策を講じる必要がある。さらに、互いに迅速な選択が望まれる場合に、選択情報の長い伝送時間は不都合である。
【００１０】
本発明の目的は、上述したような制約及び問題点をなくし、冒頭にて述べたタイプの改良形再生システム、前記第２段落にて述べたタイプの改良形メタデータ生成装置、前記第３段落にて述べたタイプの改良形遠隔制御装置及び前記第４段落にて述べたタイプの改良形再生装置を提供することにある。
【発明の開示】
【００１１】
上述した目的を達成するために、本発明による再生システムは、この再生システムを次のように特徴付けることができる本発明による特徴部を有している。即ち、
本発明は、メタデータ情報生成用のメタデータ生成装置と、再生装置と、該再生装置を再生用に遠隔制御する遠隔制御装置とを具えている再生システムであって、前記メタデータ生成装置は、以下に規定する手段、即ち、データキャリアを受け入れる受入れ手段と、当該データキャリアに関連するメタデータ情報を生成するためのメタデータ生成手段と、該メタデータ情報を前記遠隔制御装置に伝送するためのメタデータ伝送手段とを具え、前記遠隔制御装置は、以下に規定する手段、即ち、前記メタデータ情報を受信するための受信手段と、前記メタデータ情報を記憶するための記憶手段と、選択情報を生成するための選択情報生成手段と、該選択情報を前記再生装置に伝送するための伝送手段とを具え、且つ前記再生装置は、以下に規定する手段、即ち、データキャリアを受け入れる受入れ手段と、当該データキャリアに含まれるユーザ情報を再生するための再生手段と、前記遠隔制御装置からの選択情報を受信するための受信手段と、該選択情報を処理するための処理手段とを具え、前記データキャリアに含まれるユーザ情報を前記処理手段によって選択可能とした再生システムにおいて、
前記メタデータ生成装置又は前記再生装置における受入れ手段に装填することができるデータキャリアは少なくとも１つのトラックを具え、各トラックは開始位置情報によって確定され、前記メタデータ生成手段は前記開始位置情報を追加的に含むメタデータ情報を生成すべく構成配置され、前記選択情報生成手段は前記開始位置情報を含む選択情報を生成すべく構成され、且つ前記処理手段は前記開始位置情報を含む選択情報を処理すべく構成配置され、前記開始位置情報を含む前記選択情報を用いてトラックを選択し得るようにしたことを特徴とする。
【００１２】
上記目的を達成するために、本発明によるメタデータ生成装置は、このメタデータ生成装置を次のように特徴付けることができる本発明による特徴部を有する。即ち、
メタデータ情報を生成するためのメタデータ生成装置であって、以下に規定する手段、即ち、データキャリアを受け入れる受入れ手段と、当該データキャリアに関連するメタデータ情報を生成するためのメタデータ生成手段と、再生装置を遠隔制御する遠隔制御装置にメタデータ情報を伝送するためのメタデータ伝送手段とを具えている、メタデータ生成装置において、前記受入れ手段に装填し得るデータキャリアは少なくとも１つのトラックを具え、各トラックは開始位置情報によって確定され、且つ前記メタデータ生成手段は前記開始位置情報を追加的に含むメタデータ情報を生成すべく構成配置されることを特徴とする。
【００１３】
上述した目的を達成するために、本発明による遠隔制御装置は、この遠隔制御装置を次のように特徴付けることができる本発明による特徴部を有する。即ち、
再生装置を遠隔制御する遠隔制御装置であって、下記に規定する手段、即ち、メタデータ情報を受信する受信手段と、前記メタデータ情報を記憶するための記憶手段と、選択情報を生成するための選択情報生成手段と、該選択情報を前記再生装置に伝送する伝送手段とを具えている遠隔制御装置において、前記メタデータ情報はデータキャリアのトラックの開始位置情報を追加的に含み、前記選択情報生成手段は前記開始位置情報を包含する選択情報を生成すべく構成配置されることを特徴とする。
【００１４】
上述した目的を達成するために、本発明による再生システムは、この再生システムを次のように特徴付けることができる本発明による特徴部を有する。即ち、
データキャリアを受け入れる受入れ手段と、前記データキャリアに存在するユーザ情報を再生するための再生手段と、再生装置を遠隔制御する遠隔制御装置から選択情報を受信するための受信手段と、前記選択情報を処理するための処理手段とを具え、前記データキャリアに存在するユーザ情報を選択可能とした、再生装置において、前記受入れ手段に装填し得るデータキャリアは少なくとも１つのトラックを具え、これらの各トラックは開始位置情報によって確定され、且つ前記処理手段は、前記開始位置情報を包含している選択情報を処理すべく構成配置され、前記開始位置情報を包含している選択情報によってトラックを選択可能としたことを特徴とする。
【００１５】
本発明によるこれらの特徴部を用立てることによって、データキャリアのユーザデータをトラックのファイルによって形成するも、これらのユーザデータを再生するための改善された再生システムが得られる。目立った改善は、選択情報が開始位置情報を含み、その選択情報はトラック又はファイルの選択及びその後の再生目的のために遠隔制御装置から再生装置に切替えることができると言うことにある。開始位置情報は数個の文字によって形成されるから、遠隔制御装置から再生装置への文字の切り替え又は伝送に要する期間はごく短かく、このことは遠隔制御装置でのエネルギー消費をできるだけ最小にするという観点から非常に有利である。その理由は遠隔制御装置で消費されるエネルギーはバッテリーによって供給されるからである。
【００１６】
他の利点は、開始位置情報を用いることによりデータキャリアのインデックス構造に左右されなくなると云うことにある。
【００１７】
請求項４，１０、１５及び１８に記載の特徴部を設ける場合に、非常に有利であることを確かめた。
【００１８】
請求項５，１１又は１９のそれぞれに記載の特徴部を設けることによって、相対的に異なる非常に多くのデータキャリアを、セキュリティを強化して認識することができると云う利点が得られる。
【００１９】
さらに、請求項６，１２又は２０のそれぞれに記載の特徴部を設けることによって、ファイルを包含するトラックを有しているデータキャリアを選択でき、また、トラック数がごく僅かでも、多数のファイルを有しているデータキャリアを高い確度で認識できると云う利点が得られる。
【００２０】
請求項７，１３，１６及び２１のそれぞれに記載の特徴部を設けることによって、簡単且つ独特な開始位置情報を形成することができると云う利点が得られる。
【００２１】
請求項８に記載の特徴部を設けることによって、特に、簡単な選択情報をＲＣ６規格に基づくラージスケールで用いられる赤外線伝送手段によって伝送することができると云う利点が得られる。
【００２２】
請求項２に記載の特徴部を設けることによって、データキャリアを受け入れる受入れ手段をメタデータ生成装置と再生装置に共通に用いることができる。
【００２３】
請求項３に記載の特徴部を設けることによって、メタデータ情報を伝送する伝送手段を導電性のリンクによって簡単に作ることできと云う利点が得られ、前記リンクはエネルギー消費が少ない遠隔制御装置にとって特に有利である。
【００２４】
本発明の上述した要点及び他の要点を、以下説明する実施例を参照しての説明から明らかにする。
【００２５】
本発明のこれら及び他の要点は、以下説明する実施例を参照しての説明から明らかになるであろう。
【００２６】
図１は識別データブロック生成用の装置を示し、この装置は多数のデータキャリアを再生するための、再生装置１０の形式のものである。この再生装置１０は、データキャリアを受け入れる受入れ手段を具え、この受入れ手段はチェンジャモジュール４０により形成される。チェンジャモジュール４０は、デジタル的に記憶されている情報、又はデータを再生すべく構成配置される。デジタル記憶情報はデータキャリア４１上に記憶されるのであって、この情報は角速度ωで回転するデータキャリア４１から光学的に読取ることができる。本例の場合には、光学的に読取り可能なデータキャリア４１をコンパクトディスク（ＣＤ）により形成する。これらの各ディスクは切替え機構によってチェンジャモジュール４０における再生位置にもたらすことができる。デジタル記憶情報はＣＤ-ＲＯＭ標準規格に従ってデータキャリア４１上のトラックに記憶される。それぞれのＣＤはＣＤ-Ｒか、又はＣＤ-ＲＷタイプのいずれともすることができる。光学的に読取可能なデータキャリア４１にデジタル的に記憶された情報又はデータは走査装置４２により読取り、且つ前処理することができる。走査装置４２は位置決め可能な光学読取りユニット及び関連する位置決め制御ユニットを具えている。走査装置４２により読取られ、且つ前処理されたデータは中央制御ユニット（ＣＰＵ）５０に伝送される。
【００２７】
中央制御ユニット（ＣＰＵ）５０はマイクロプロセッサ形式のものであり、これは不揮発性メモリＲＯＭ２０及び揮発性メモリＲＡＭ２１に結合されている。ＲＯＭ２０及びＲＡＭ２１は既知の目的用に意図され、且つ構成される。再生装置１０はさらに、入力手段１１を収容しており、この入力手段１１は再生装置１０の表面上に取り付けられるキーによって形成される。入力手段１１は中央制御ユニット（ＣＰＵ）５０に接続され、且つ再生装置１０のユーザによる制御情報の入力用に配置されている。同じく再生装置１０内に収容され、且つ中央制御ユニット（ＣＰＵ）５０に接続される遠隔制御センサ１３は、ＲＣ６標準規格に従う赤外遠隔制信号を受信すべく構成配置される。再生装置１０はさらに、テキスト及び/又は映像情報を表示するための表示手段１２も具えている。この表示手段１２は、本例の場合には、再生装置１０の表面上に取り付けられるＬＣＤドット‐マトリックスディスプレイとする。このような表示手段１２はＶＦＤディスプレイ又は他の同様なディスプレイによって同等に形成し得ると云うことができる。
【００２８】
同じく再生装置１０内に収容され、且つ中央制御ユニット（ＣＰＵ）５０に接続されるアナログオーディオ信号増幅用の増幅モジュール３０は、増幅した信号を増幅器出力端子３１に伝送する。この増幅器出力端子にはスピーカ形式のオーディオ再生手段３２が接続されており、このスピーカは増幅アナログオーディオ信号を再生すべく構成配置される。
【００２９】
中央制御ユニット（ＣＰＵ）５０は下記に挙げる一連の手段及びモジュールを収容しており、これらはＲＡＭ２１にアクセスすることができる。このようにＣＰＵに収容されるもののうち、ＣＤモジュール制御ユニット５１は、チェンジャモジュール４０に接続され、且つこのチェンジャモジュール４０を制御すると共に、開始位置情報及びファイル名のアイテムを決定すべく構成配置される。ＣＤモジュール制御ユニット５１には、第１生成手段５４、第２生成手段５５、第３生成手段５６、第４生成手段５７及び第５生成手段５８が接続され、これらの生成手段５４〜５８は後に扱う部分識別ブロックを生成すべく構成配置される。前記生成手段５４〜５８はゲート手段５９に接続され、このゲート手段は部分識別ブロックから識別データブロックを生成すべく構成配置される。ゲート手段５９及びＣＤモジュール制御ユニット５１には比較手段６０が接続されており、この比較手段は識別データブロックと選択情報のアイテムとを比較すべく構成配置される。中央制御ユニット（ＣＰＵ）５０はさらに、ディスプレイ駆動手段６１も収容しており、これによって表示手段１２用のテキスト及び/又は映像情報を表すデータを発生させる。中央制御ユニット（ＣＰＵ）５０はさらに、チェンジャモジュール４０に接続されたオーディオデータ復号化手段５２も収容しており、この復号化手段はオーディオ信号を復号化すべく構成配置される。復号化したオーディオデータはＤ/Ａ変換器５３に伝送され、このＤ/Ａ変換器５３は復号化したオーディオデータからアナログオーディオ信号を発生し、この信号を増幅モジュール３０に伝送する。
【００３０】
既に述べたように、チェンジャモジュール４０は、多数のＣＤを再生するように構成配置され、本例ではチェンジャモジュールを５-ディスクチェンジャとする。再生装置１０及びその有利な特徴部は、チェンジャモジュール４０内に収容されたディスクを、生成される識別データブロックに基づいて選択し、且つ再生可能にする。選択プロセスについては後に詳述する。
【００３１】
部分識別ブロックからの識別データブロックの生成について以下詳細に説明する。この場合に、先ず、記憶済みデータ及び開始位置情報のアイテムについての基本的な実態を、例証ＣＤを参照して説明する。
【００３２】
ＣＤモジュール制御ユニット５１によって、チェンジャモジュール４０内の再生位置に据えられた例証ＣＤからコンテンツ情報、所謂目次（ＴＯＣ）が読み出され、これにて得られたデータはＲＡＭ２１に記憶される。ＴＯＣが読み出される例証ＣＤは、表１に示すように、ＣＤ−ＲＯＭ規格に従う方法にて配列されるデータを包含している。
【００３３】
【表１】
2005531867.tif 000002
【００３４】
このように、例証ＣＤはオーディオトラック０１を有するセッション１とデータトラック０２を有するセッション２とを包含している。データトラック０２は、ＩＳＯ  ９６６０フォーマットに対するファイルシステムと、ファイル名が“ＧＵＮＳ‘Ｎ’ＲＯＳＥＳ-ＤＯＮ‘Ｔ  ＤＲＹ．ＭＰ３”のファイル（このファイルファイルは既知のＭＰＥＧ１レイヤＩＩＩ（ＭＰ３）の元で圧縮したオーディオデータを包含している）とを包含している。データトラックにも同じように、例えばＪＯＬＩＥＴフォーマットのような異なるフォーマットでファイルシステムを包含させることができると云うことができる。
【００３５】
欄見出しＬＡＢに示してある所謂論理ブロックアドレスは、トラック及びファイルの開始時間、即ちトラック及びファイルの開始位置（オフセット）に関する情報のアイテムを規定する。論理ブロックアドレスはＣＤにおけるまさしく最初のトラックの開始時間に関連して特定される。当面のデータトラックの場合、規定上は、２０４８バイトがデータトラックに対する論理ブロックに相当する。オーディオトラックの場合には、２３５２バイトがオーディオトラックに対する論理ブロックに相当し、２０４８バイトは所謂生のデータを表し、残りのバイトは訂正データ及びフレーム情報データを構成する。ＣＤ-ＲＯＭ規格の元で、トラック及び所謂リード-アウトＬＯの開始時間をＴＯＣデータからか、又はサブコードチャネルＱに記憶してある時間情報から確定することができる。この確定はＣＤ-モジュール制御ユニット５１にて行われ、時間情報はフレーム単位で与えられ、７５フレームが１秒に相当する。上述した例証ＣＤに対して得られるのは、トラック０１＝１５０フレーム、トラック０２＝１３８３８フレーム、リード-アウト＝１４２９１フレームである。ここで云うリード‐アウトとは、完了した最終セッションのリード-アウトを意味する。前記例証ＣＤに対する、ＴＯＣからの開始時間と論理ブロックアドレスＬＢＡとの間の正確な関係を下記の表２に示してある。
【００３６】
【表２】
2005531867.tif 000003
【００３７】
表２におけるＬＩ-Ｓ１及びＬＩ-Ｓ２はセッションＳ１及びセッションＳ２に対するそれぞれのリード-イン情報を意味し、Ｇａｐ１及びＧａｐ２はそれぞれのトラック、即ちトラック０１及びトラック０２が開始する前の空きギャップを意味する。
【００３８】
本例の場合には、５つの部分識別ブロックを用いて識別データブロックを生成、即ち形成し、部分識別ブロックのＸＯＲゲーティングはゲート手段５９にて行われる。下記の表３は識別データブロックＩＤを形成すべくゲーティングする部分識別ブロックに対するレイアウトを示す。
【００３９】
【表３】
2005531867.tif 000004
【００４０】
この場合、識別データブロックＩＤは表３に示したブロックに相当する４バイトからなり、ブロックには右から左に番号を付してある。
【００４１】
図２は、第１生成手段５４とＣＤ-モジュール制御ユニット５１とによって、トラック又はファイル開始位置情報、即ちトラックの開始時間又はファイルに対するＬＢＡから部分識別ブロックＩＤ１を生成するシーケンスを示す。このシーケンスを以下ｐａｒｔ-ＩＤ１シーケンスと称する。このｐａｒｔ-ＩＤ１シーケンスは、関連するＣＤ上の多数のトラックに対して反復的に実行され、開始ボックス２００にて始まる。ｐａｒｔ-ＩＤ１の変数はＲＡＭ２１における０×０にセットされる。次に、ボックス２０５にて、ＣＤ上の最終トラックが読取られたかどうかについて問い合わせが行われる。読取られていた場合には、ボックス２１０へのブランチが確立され、読取られていなかった場合には、シーケンスはボックス２１５へと進む。このボックス２１５では、次のトラックが読取られ、シーケンスはボックス２２５へ進む。この場合、次のトラックを読取ると云うことは開始位置情報を確定することを意味する。ボックス２２５では、確定されたか、又は読取られた開始情報のアイテムのＸＯＲゲーティングをｐａｒｔ-ＩＤ１で行う。次いで、ボックス２３０にて、読取ったトラックがオーディオトラックなのか、ファイルを含むデータトラックなのかどうかの問い合わせが行われる。オーディオトラックの場合には、ｐａｒｔ-ＩＤ１シーケンスはボックス２０５へと進む。これに対し、データトラックであった場合には、シーケンスはボックス２３５へと進む。このボックス２３５では、当該データトラックの最終ファイルが既に読取られたどうかチェックされる。最終ファイルが読取られていた場合には、ｐａｒｔ-ＩＤ１シーケンスはもう一度ブロック２０５へ進む。最終ファイルが読取られていなかった場合には、シーケンスはボックス２４０へと進み、ここで次のファイルが読取られる。この場合にも、次のファイルを読取ると云うことは開始位置情報を確定することを意味する。ボックス２４０での処理に続いて、ボックス２４５では、確定されたか、又は読取られた開始位置情報のアイテムのＸＯＲゲーティングが、ＲＡＭ２１に記憶してあるｐａｒｔ-ＩＤ１で行われ、その後ｐａｒｔ-ＩＤ１シーケンスはボックス２３５へ進む。上述した例証ＣＤの場合にｐａｒｔ-ＩＤ１に対して得られるのは次のようなものである。
Ｐａｒｔ-ＩＤ１＝ＴＯＣ（Ｔｒａｃｋ０１）ＸＯＲ  ＴＯＣ（Ｔｒａｃｋ０２）ＸＯＲ  ＬＢＡ（Ｆｉｌｅ２）＝１５０ＸＯＲ１３，８３８ＸＯＲ１３，７１３＝０×３０９
最後に、ｐａｒｔ-ＩＤ１が生成又は確定されたら、ボックス２１０にて値０×１００を乗じることによって、ｐａｒｔ-ＩＤ１を表３から明らかなように、識別データブロックにおける第２バイト位置にシフトさせ、これでｐａｒｔ-ＩＤ１シーケンスはボックス２２０にて終了する。
【００４２】
図３は、第３生成手段５６とＣＤ-モジュール制御ユニット５１とによってファイル名から部分識別ブロックＩＤ３を生成するシーケンスを示す。このシーケンスを以下ｐａｒｔ-ＩＤ３シーケンスと称する。このｐａｒｔ-ＩＤ３シーケンスもＣＤ-モジュール制御ユニット５１によるトラック及びファイルの反復読込みを規定し、このシーケンスは開始ブロック３００にて始まり、ここでは４バイトからなるｐａｒｔ-ＩＤ３の変数がＲＡＭ２１の０×０にセットされる。次いで、ボックス３０５でＣＤの最終トラックが既に読取られたかどうかについての問い合わせが行われる。最終トラックが既に読取られていた場合には、ボックス３１０へのブランチが確立される。最終トラックがまだ読取られていない場合には、シーケンスはボックス３１５へ進む。ボックス３１５では次のトラックが読取られて、次にボックス３２０にて、読取ったトラックがオーディオトラックなのか、ファイルを含むデータトラックであるのかどうかについて問い合わせが行われる。オーディオトラックである場合には、ｐａｒｔ-ＩＤ３シーケンスはボックス３０５へと進む。他方、データトラックである場合には、シーケンスはボックス３２５へと進む。ボックス３２５では、データトラックの最終ファイルが既に読取られているかどうかチェックされる。既に読取られていた場合には、ｐａｒｔ-ＩＤ３シーケンスは再度ボックス３０５へ進む。最終ファイルが読取られていなかった場合には、シーケンスはボックス３３０へと進む。ボックス３３０では、次のファイルのファイル名が読取られて、次にシーケンスは３３５へと進む。ボックス３３５では、ファイル名の文字をＸＯＲゲートすることによってｐａｒｔ-ＩＤ３を最終的に形成して、バイト数が同じｐａｒｔ-ＩＤ３を発生する。本例の場合、ファイル名の文字をブロックに分割するのであって、この分割は各ブロックが４つの文字を含むように複数のブロックに分割する。この場合、各ブロックにて４つの文字位置が得られ、各文字位置は１バイトで表される。ＸＯＲゲーティングはブロック内の各文字位置に文字を有している各ブロックにて行われ、このことは例えば、文字ｏｎｅ（１）、ｆｉｖｅ（５）、ｎｉｎｅ（９）等をゲートして、ｐａｒｔ-ＩＤ１の第１バイトを形成することを意味する。文字ｔｗｏ（２）、ｓｉｘ（６）、ｔｅｎ（１０）等はｐａｒｔ-ＩＤ１の第２バイトを形成する。ブロックへの分割にあたり、この分割のために最終ブロック内に占有されない欠落文字又は文字位置はゼロ（０）にセットされる。上述した例証ＣＤの場合にｐａｒｔ-ＩＤ３に対して得られるのは次のようなものである。
Ｐａｒｔ-ＩＤ３＝４ｂｙｔｅＸＯＲ  ｏｆ  “ＧＵＮＳ‘Ｎ’ＲＯＳＥＳ-ＤＯＮ‘Ｔ  ＣＲＹ  ＭＰ３”＝０Ｘ１２４４５３０９５１
【００４３】
部分識別ブロックｐａｒｔ-ＩＤ２は第２生成手段５５とＣＤ-モジュール制御ユニット５１とによって得られ、ｐａｒｔ-ＩＤ２はＣＤにおけるトラックの総数を表す。
【００４４】
部分識別ブロックｐａｒｔ-ＩＤ４は第４生成手段５７とＣＤ-モジュール制御ユニット５１とによって得られ、ｐａｒｔ-ＩＤ４はＣＤにおけるファイルの総数を表す。トラックの総数は読取ったＴＯＣから容易に確定することができる。ファイルの総数はデータトラックの最初の２５フレーム内に記憶されているファイルシステムから確定することができる。上述した例証ＣＤの場合に、ｐａｒｔ-ＩＤ２に対して得られるのは０×１であり、ｐａｒｔ-ＩＤ４に対して得られるのは０×２である。表３に示したように、ｐａｒｔ-ＩＤ２は識別データブロックにおける第４バイト位置にセットされ、ｐａｒｔ-ＩＤ４は２バイトに拡張される。
【００４５】
最後の部分識別ブロックであるｐａｒｔ-ＩＤ５は第５生成手段５８とＣＤ-モジュール制御ユニット５１とによって決定され、ｐａｒｔ-ＩＤ２の目的は識別データブロックのもっと有利な多様化にある。ｐａｒｔ-ＩＤ５はこの場合におけるＣＤの全長を表す。この全長はＬＢＡとＣＤの最終完了セッションのサイズとから決定される。上述した例証ＣＤの場合にｐａｒｔ-ＩＤ５に対して得られるものは次のようなものである。
Ｐａｒｔ-ＩＤ５＝ＬＢＡ（Ｔｒａｃｋ０２）+Ｓｉｚｅ（Ｔｒａｃｋ０２）/２０４８（ｂｙｔｅｓ/ｌｏｇｉｃ  ｂｌｏｃｋ）＝１３，６８８+９２７，７４４/２０４８＝０×３７３ｄ
【００４６】
ゲート手段５９によって部分識別ブロックｐａｒｔ-ＩＤ１をｐａｒｔ-ＩＤ５にゲートすることによって、上述した例証ＣＤの場合に、識別データブロック、即ちｄｉｓｋ  ＩＤ＝０×１２１０９２２８１１を発生する。
【００４７】
既に述べたように、再生装置１０は多数のデータキャリア４１、本例の場合ＣＤをチェンジャモジュール４０によって再生すべく構成配置されて、所謂ジュークボックス又はミュージックボックスを実現する。既に述べたように、ＣＤは各々が多数のＭＰ３ファイル、即ち圧縮オーディオファイルを包含する所謂ＭＰ３-ＣＤである。５枚のＭＰ３-ＣＤがある本例の場合には、ＭＰ３ファイルの総数は１０００までとすることができ、これらのＭＰ３ファイルは再生目的のために容易に選択することができる。
【００４８】
図４には前記ＭＰ３ファイルを再生する目的のために、このようなＭＰ３ファイルを容易に選択するための再生システム４００を示してある。この再生システムはメタデータ生成装置４３０、遠隔制御装置４２０及び再生装置１０を包含する。再生装置１０は図１に示した再生装置１０と同じ設計のものである。
【００４９】
メタデータ生成装置４３０はコンピュータ４３１の形式のものであり、このコンピュータ４３１は少なくとも１つのデータキャリアに関連するメタ情報を生成するためのコンピュータソフトウェアプロダクトを実行すべく構成配置される。コンピュータ４３１はデータキャリアを受け入れる受入れ手段４３２を包含しており、この受入れ手段４３２はメタデータ生成手段４３３に接続する。メタデータ生成手段４３３はメタデータＭＤを生成して、これを伝送手段４３４に出力する。伝送手段４３４は符号化したメタデータＫＭＤを出力すべく構成配置される。受入れ手段４３２は本例の場合、コンピュータ４３１に属するＣＤ-ＲＯＭドライブによって形成され、この受入れ手段は再生装置１０のチェンジャモジュール４０にほぼ相当するが、この受入れ手段が受け入れることができるのは単一のデータキャリアに過ぎない。メタデータ生成手段４３３は図１につき既に述べたようなモジュール及び手段を包含しており、これらによって或るデータキャリアに対する識別データブロックＩＤを生成することができる。これらのモジュール及び手段とは、ＣＤモジュール制御ユニット５１、生成手段５４，５５，５６，５７，５８及びゲート手段５９である。
【００５０】
図１につき上述したタイプのもので、受入れ手段４３２に装填されたデータキャリアからメタデータが、このデータキャリアから読取ったＴＯＣを用いて生成される。メタデータは、各トラックに対する追従データ又はデータキャリアに記録されるファイル、即ち、タイトル、解説者の名前、アルバムの名前、ジャンル及びトラック/ファイル識別データブロック（ＦＩＤ）やデータキャリアに対する識別データブロック（ディスクＩＤ）を含む。トラック/ファイル識別データブロックＦＩＤは、トラック又はデータファイルに対する開始位置（オフセット）情報を参照することにより形成される。これはトラックの場合にはＴＯＣから得ることのできる時間情報である。また、データファイルの場合のそれは、データファイルを包含しているトラックに対する時間情報と、当該トラックの論理ブロックアドレスＬＢＡに関連するデータファイルの論理ブロックアドレスから決定される時間情報のアイテムとの和である。時間情報のアイテムは、時間、分、秒及びフレームの各単位で計算されるか、特定され、各時間単位には１バイトが用いられ、それぞれの時間は最上位位置のバイトを占め、フレームは最下位位置のバイトを占める。上述した例証ＣＤの場合にトラック/ファイル識別データに対して得られるものは次のようなものである。
ＦＩＤ（Ｔｒａｃｋ０１）＝ＴＯＣ（Ｔｒａｃｋ０１）＝１５０ｆｒａｍｅｓ＝００：００：０２：００〔ｈｈ：ｍｍ：ｓｓ：ｆｆ〕＝０×２００
ＦＩＤ（Ｔｒａｃｋ０２）＝ＴＯＣ（Ｔｒａｃｋ０２）+（ＬＢＡ（Ｆｉｌｅ０２）-ＬＢＡ（Ｆｉｌｅ０２）＝１３８３８+（１３７１３-１３６８８）＝１３８６ｆｒａｍｅｓ＝００：０３：０４：６３〔ｈｈ：ｍｍ：ｓｓ：ｆｆ〕＝０×３０４６３
【００５１】
メタデータ生成装置４３０内に記憶手段を設け、これをメタデータ生成手段４３３に接続し、且つメタデータＭＤを記憶すべく構成配置することができると云うこともできる。記憶手段はコンピュータ４３１のハードディスクによって形成することができる。
【００５２】
遠隔制御装置４２０は、この場合には携帯情報端末（ＰＤＡ）式のものとする。この遠隔制御装置４２２は、マイクロプロセッサ式の中央制御ユニット４２２を有し、これは不揮発性メモリＲＯＭ４２４と揮発性メモリＲＡＭ４２３とに結合され、これらのＲＯＭ４２４及びＲＡＭ４２３は既知の目的用に意図されて構成配置される。
【００５３】
中央制御ユニット４２２には、符号化されたメタデータＫＭＤを受信して、復号化すべく構成配置される受信手段４２１と、メタデータを記憶すべく構成配置される記憶手段４２７と、メタデータＭＤを表示すべく構成配置される表示手段４２６と、入力情報を入力するための入力手段４２８とが接続される。本例の場合には、表示手段４２６と入力手段４２８をＬＣＤタッチスクリーン式の合成手段によって形成する。このＬＣＤタッチスクリーンはこの場合には抵抗原理に基づいて動作し、これはスタイラス等によって入力情報をＬＣＤタッチスクリーンの表面に生成することができる。例えばキーボード又は音声入力手段のような他の入力手段を同じように設けることもできる。
【００５４】
中央制御ユニット４２２内には、受信手段４２１によって受信されたメタデータを処理することができると共に、その処理データを記憶手段４２７に記憶させることができるメタデータ処理手段４２９が含まれている。中央制御ユニット４２２内には選択情報生成手段４２５も含まれており、この選択情報生成手段４２５は、メタデータＭＤをディスプレイ手段４２６に表示させることができ、選択情報生成手段４２５は、入力手段４２８の助力のもとで選択情報のアイテムＡＩを生成し得るように構成配置される。選択情報のアイテムＡＩは中央制御ユニット４２２に接続されている伝送手段４４０に出力される。伝送手段４４０は符号化された選択情報ＫＡＩを放射すべく構成配置され、この符号化選択情報ＫＩＡはこの場合には、ＲＣ６モード１Ａ-ストリングタイプ３を用いるＲＣ＆規格に対する赤外線信号によって形成される。符号化選択情報ＫＡＩは、再生装置１０の受信手段に伝送することができ、この受信手段は選択情報を受信すべく構成配置され、且つ遠隔制御センサ１３によって形成される。
【００５５】
メタデータＭＤはリストエントリを含むメタデータリストとして遠隔制御装置の記憶手段４２７に記憶され、リストエントリはメタデータＭＤのそれぞれのセットによるデータキャリア上の特定のトラック又はファイルを表す。メタデータリストを管理、即ちリストエントリを加えたり、削除したりすることができる手段を設けることができるということにも触れておく。
【００５６】
選択情報生成手段４２５を用いてメタデータを表示することができ、メタデータリストは、例えば解説者の名前によるか、タイトルによるか、ジャンルによるか、又は他の選別基準によるような、所定の判定基準によって選別したり、表示したりすることができると言う意味合いで、様々な見方で表示することができる。リストエントリが入力手段によって選択される場合には、関連する識別データブロック（ディスクＩＤ）及びトラック/ファイル識別データブロック（ＦＩＤ）がリストエントリに対して見つけられて、これが選択情報として伝送手段４４０によって再生装置１０に伝送される。
【００５７】
再生装置１０では、受信した選択情報を処理するのであって、チェンジャモジュール４０におけるデータキャリアに対して見出された識別データブロックが、受信した選択情報ＡＩからの識別データブロックに整合するかどうか比較手段６０によってチェックされる。これらの識別データブロックが整合する場合には、識別データブロックと一緒に受信されたトラック/ファイル識別データブロックＦＩＤがＣＤモジュール制御ユニット５１へと伝播され、このＣＤモジュール制御ユニット５１にて、整合する識別データブロックがあるデータキャリアのトラック又はファイルがプレイされる。再生モードでは、本例の場合、符号化されたオーディオデータがオーディオデータ復号化手段５２に伝送される。
【００５８】
整合する識別データブロックがない場合には、表示手段１２のディスプレイによってその旨が知らされる。なお、その旨は遠隔制御装置４２０にも伝送し、この場合、再生装置１０は斯種のメッセージを伝送するための伝送手段を有することにも触れておくことができる。さらに、再生装置１０はこのような伝送手段を用いることにより、チェンジャモジュール４０に収容されたデータキャリア用に生成された識別データブロックＩＤを遠隔制御装置１０に伝送することができることにも触れておくことができる。遠隔制御装置１０はこのような種類の識別データブロックＩＤを受信し、且つ処理すべく構成配置され、この場合に、メタデータリストの表示は整合する識別データブロックを有しているリストエントリを含むだけである。
【００５９】
再生システム４００は、所謂プレイリストを生成し、且つ処理すべく構成配置することができることにも触れておくことができる。。
【図面の簡単な説明】
【００６０】
【図１】本発明の一実施例による装置における当面の接続にとって必須の部分を極めて概略的に示したブロック図である。
【図２】トラック及び/又はファイルに対する開始位置情報のアイテムから部分識別ブロックを生成することに関連するフローチャートである。
【図３】ファイル名から部分識別ブロックを生成することに関連するフローチャートである。
【図４】識別データブロック及びトラック/ファイル識別データブロックによってデータキャリア上のユーザデータを選択するための再生システムを極めて概略的に示したブロック回路図である。
【図１】
2005531867.tif 000005
【図４】
2005531867.tif 000006
【図２】
2005531867.tif 000007
【図３】
2005531867.tif 000008
【国際調査報告】
2005531867.tif 000009
2005531867.tif 000010
2005531867.tif 000011